(57)【特許請求の範囲】
【請求項１】
浴槽の側壁に貫通固定され、外部の加熱器と浴槽内との温湯循環を行わせる無極性浴槽用循環金具において、
浴槽の側壁に設けた貫通孔に固定されるスリーブの先端に、前面に第１と第２の吸入用開口と、周囲に第１の吐出用開口と第２の吐出用開口を有する循環口本体を固定し、上記スリーブの内部に加熱器と接続される内側通路と外側通路を分離して設け、上記循環口本体の内部に、内側通路を第１の吸入用開口と第１の吐出用開口に接続する第１の温湯通路と、外側通路を第２の吸入用開口と第２の吐出用開口に接続する第２の温湯通路を設け、上記第１の温湯通路には、第１の吸入用開口の部分に、第１の吸入用開口から第１の温湯通路への温湯の流入を許容する逆止弁と、第１の吐出用開口の手前に第１の温湯通路から第１の吐出用開口への温湯の流出を許容する逆止弁を設け、更に、第２の温湯通路には、第２の吸入用開口の部分に、第２の吸入用開口から第２の温湯通路への温湯の流入を許容する逆止弁と、第２の吐出用開口の手前に第２の温湯通路から第２の吐出用開口への温湯の流出を許容する逆止弁を設け、上記第１と第２の両吐出用開口をそれぞれの逆止弁より下流側の位置で互いに連通させたことを特徴とする無極性浴槽用循環金具。
【発明の詳細な説明】
【０００１】
【発明の属する技術分野】
この発明は、浴槽の側壁に取り付け、温湯を外部の加熱器を介して循環させる配管を浴槽に接続するために用いる無極性浴槽用循環金具に関する。
【０００２】
【従来の技術】
浴槽の側壁に取り付け、外部の加熱器を介して温湯を循環させるための浴槽用循環金具において、循環口本体の前面に吸入用開口と、周囲に吐出用開口を設けた構造では、加熱器の吸入用配管を吸入用開口と接続し、同じく吐出用配管を吐出用開口と接続しなければならないという、接続に対する極性がある。
【０００３】
しかし、浴槽用循環金具と加熱器の接続を行う現場では、接続に対する極性があると、不注意から配管の接続を間違うことが往々にしてあり、配管を逆に接続すると、循環口本体の前面から温度の高い温湯が吐出され、入浴時に火傷の危険を伴うことになる。
【０００４】
そこで、上記のような配管の接続ミスを防ぐためには、浴槽用循環金具の無極性化が有効な手段となる。
【０００５】
図５は、従来の無極性浴槽用循環金具の構造を模式的に示し、浴槽１の側壁２に設けた貫通孔３を挟んで、内側に循環口本体４と外側に外部ケース５を水密状に固定し、循環口本体４と外部ケース５の内部を内側通路６と外側通路７に分離し、上記循環口本体４の周囲で左右両側下部の位置に、内側通路６と連通する吸入兼吐出用開口８と、外側通路７と連通する吸入兼吐出用開口９をそれぞれ設け、外部ケース５に、内側通路６と連通した接続管１０と外側通路７と連通した接続管１１を設けた構造になっている。
【０００６】
このような浴槽用循環金具は、加熱器の吸入用配管と吐出用配管をどちらの接続管に接続してもよく、何れか一方の吸入兼吐出用開口８又は９が温湯を吸入し、他方の吸入兼吐出用開口８又は９が温湯を吐出することなる。
【０００７】
図６と図７は、従来の無極性浴槽用循環金具の他の構造を模式的に示し、上記図５の例と同一部分は同一符号を用いる。
【０００８】
循環口本体４の前面に吸入用開口１２と、周囲の左右両側下部の位置に第１と第２の吐出用開口１３、１４を設け、上記循環口本体４の内部に、内側通路６を吸入用開口１２と第１の吐出用開口１３に接続する第１の温湯通路１５と、外側通路７を吸入用開口１２と第２の吐出用開口１４に接続する第２の温湯通路１６を設け、上記第１の温湯通路の途中には、吸入用開口１２に対して内側通路６寄りの部分に、吸入用開口１２から第１の温湯通路１５への温湯の流入を許容する逆止弁１７と、第１の吐出用開口１３の部分に、第１の温湯通路１５から第１の吐出用開口１３への温湯の流出を許容する逆止弁１８が設けてある。
【０００９】
更に、第２の温湯通路１６の途中には、吸入用開口１２に対して外側通路７寄りの部分に、吸入用開口１２から第２の温湯通路１６への温湯の流入を許容する逆止弁１９と、第２の吐出用開口１４の部分に第２の温湯通路１６から第２の吐出用開口１４への温湯の流出を許容する逆止弁２０が設けてある。
【００１０】
この無極性浴槽用循環金具においては、加熱器の吸入用配管と他方に吐出用配管をどちらの接続管１０、１１に接続してもよい無極性となり、図６は、加熱器の吸入用配管を内側通路６に接続し、加熱器の吐出用配管を外側通路７に接続した状態の温湯の流れを示している。
【００１１】
同図において、矢印で示すように、浴槽の温湯は吸入用開口１２から流入し、逆止弁１７を押し開いて第１の温湯通路１５から内側通路６に流出し、逆止弁１８は閉弁している。
【００１２】
また、加熱器からの温湯は、外側通路７から第２の温湯通路１６に入り、逆止弁２０を押し開いて第２の吐出用開口１４から浴槽に吐出する。このとき、逆止弁１９は閉弁している。
【００１３】
図７は、加熱器の吸入用配管を外側通路７に接続し、加熱器の吐出用配管を内側通路６に接続した状態の温湯の流れを示し、同図において、矢印で示すように、浴槽の温湯は吸入用開口１２から流入し、逆止弁１９を押し開いて第２の温湯通路１６から外側通路７に流出し、逆止弁２０は閉弁している。
【００１４】
また、加熱器からの温湯は、内側通路６から第１の温湯通路１５に入り、逆止弁１８を押し開いて第１の吐出用開口１３から浴槽に吐出する。このとき、逆止弁１７は閉弁している。
【００１５】
【発明が解決しようとする課題】
ところで、上記した何れの無極性浴槽用循環金具においても、配管接続時の無極性を達成することはできるが、浴槽への温湯の吐出が左右何れか片方の開口からしか得られず、このため、浴槽の温湯の沸き上がり温度にバラツキが出やすいと共に、片方の開口からでる構造では浴槽に吐出される温湯の温度が局部的に熱くなり、入浴中の追い焚き時に火傷のおそれがあるという問題がある。
【００１６】
そこで、この発明の課題は、浴槽への温湯の吐出が左右両側の開口から行え、浴槽の温湯の沸き上がり温度にバラツキが出ないと共に、入浴中の追い焚き時に火傷のおそれがない無極性浴槽用循環金具を提供することにある。
【００１７】
【課題を解決するための手段】
上記のような課題を解決するため、この発明は、浴槽の側壁に貫通固定され、外部の加熱器と浴槽内との温湯循環を行わせる無極性浴槽用循環金具において、浴槽の側壁に設けた貫通孔に固定されるスリーブの先端に、前面に第１と第２の吸入用開口と、周囲に第１の吐出用開口と第２の吐出用開口を有する循環口本体を固定し、上記スリーブの内部に加熱器と接続される内側通路と外側通路を分離して設け、上記循環口本体の内部に、内側通路を第１の吸入用開口と第１の吐出用開口に接続する第１の温湯通路と、外側通路を第２の吸入用開口と第２の吐出用開口に接続する第２の温湯通路を設け、上記第１の温湯通路には、第１の吸入用開口の部分に、第１の吸入用開口から第１の温湯通路への温湯の流入を許容する逆止弁と、第１の吐出用開口の手前に第１の温湯通路から第１の吐出用開口への温湯の流出を許容する逆止弁を設け、更に、第２の温湯通路には、第２の吸入用開口の部分に、第２の吸入用開口から第２の温湯通路への温湯の流入を許容する逆止弁と、第２の吐出用開口の手前に第２の温湯通路から第２の吐出用開口への温湯の流出を許容する逆止弁を設け、上記第１と第２の両吐出用開口をそれぞれの逆止弁より下流側の位置で互いに連通させた構成を採用したものである。
【００１８】
上記内側通路と外側通路に対する加熱器の吸入用配管と吐出用配管の接続において、吸入用配管と吐出用配管を何れの側に接続しても、合計四個の逆止弁の作用により、第１の吸入用開口と第２の吸入用開口の何れから浴槽内の温湯を吸入し、第１の吐出用開口と第２の吐出用開口の両方から加熱器の温湯が吐出し、配管接続時の無極性が得られる。
【００１９】
【発明の実施の形態】
以下、この発明の実施の形態を図１乃至図４に示す図示例と共に説明する。
【００２０】
図１と図２のように、無極性浴槽用循環金具３１は、浴槽１の側壁２に設けた貫通孔３に挿通されるスリーブ３２と、このスリーブ３２の浴槽内側先端に設けた循環口本体３３と、上記スリーブ３２の浴槽外に突出する部分に外嵌状に取り付けられる外部ケース３４とを有している。
【００２１】
上記スリーブ３２は、合成樹脂製であり、貫通孔３に挿通する円筒部３５の先端外周にフランジ３６を設けて形成され、フランジ３６に接するようにパッキング３７が円筒部３５に挿入されている。また、外部ケース３４は、スリーブ３２の円筒部３５に外嵌螺合し、その先端フランジ３８をパッキング３９で覆い、スリーブ３２に対してねじ込んで浴槽１の側壁２をパッキング３７と３９で挟むことにより、スリーブ３２と外部ケース３４は浴槽１の側壁２に水密状に固定される。
【００２２】
上記スリーブ３２の内部には、循環口本体３３に設けた筒状の仕切り壁４０が同軸心の配置で位置し、外部ケース３４の内部に突設した接続筒４１がこの仕切り壁４０内に水密状に嵌合して接続され、スリーブ３２の内部を、仕切り壁４０と接続筒４１の内部に位置する内側通路４２と、スリーブ３２の内周と仕切り壁４０の外周の間の外側通路４３に分離していると共に、外部ケース３４に、内側通路４２と連通した接続管４４と外側通路４３と連通した接続管４５が設けられている。
【００２３】
前記循環口本体３３は、合成樹脂を用い、内部が中空の偏平な円形ケースに形成され、後部の中央に仕切り壁４０が突設され、この循環口本体３３の外部に金属製のフイルターキャップ４６が外嵌固定されている。
【００２４】
図３と図４のように、この循環口本体３３の前壁には第１の吸入用開口４７と第２の吸入用開口４８が設けられ、周壁の左右の下部両側に、第１の吐出用開口４９と第２の吐出用開口５０が設けられ、循環口本体３３の内部は、内側通路４２を第１の吸入用開口４７と第１の吐出用開口４９に接続する第１の温湯通路５１と、外側通路４３を第２の吸入用開口４８と第２の吐出用開口５０に接続する第２の温湯通路５２が水密状に区画形成されている。
【００２５】
なお、循環口本体３３に外嵌した金属製のフイルターキャップ４６は、図２のように、前面に設けた開口５３にフイルター５４が張設され、周囲には第１の吸入用開口４９と第２の吸入用開口５０に一致する開口４９ａと５０ａが設けられている。
【００２６】
上記第１の温湯通路５１の途中で第１の吸入用開口４７寄りの部分に、第１の吸入用開口４７から第１の温湯通路５１への温湯の流入を許容する逆止弁５５と、第１の吐出用開口４９の手前に第１の温湯通路５１から第１の吐出用開口４９への温湯の流出を許容する逆止弁５６が設けられ、更に、第２の温湯通路５２の途中で第２の吸入用開口４８寄りの部分に、第２の吸入用開口４８から第２の温湯通路５２への温湯の流入を許容する逆止弁５７と、第２の吐出用開口５０の手前に第２の温湯通路５２から第２の吐出用開口５０への温湯の流出を許容する逆止弁５８が設けられている。
【００２７】
また、第１の温湯通路５１と第２の温湯通路５２は、循環口本体３３に設けた連通路５９により、両吐出用開口４９、５０の逆止弁５６、５８の下流側で互いに連通し、これにより、両吐出用開口４９、５０は連通路５９により、それぞれの逆止弁５６、５８より下流側で互いに接続され、第１と第２の温湯通路５１と５２の何れか一方から出てきた温湯を連通路５９で両吐出用開口４９、５０の両方に振り分けて浴槽内に吐出させるようになっている。
【００２８】
この発明の無極性浴槽用循環金具は、上記のような構成であり、浴槽１の側壁２に取り付けた状態で外部ケース３４の接続管４４、４５と、浴槽１の外部に設置された加熱器の吸入用配管と吐出用配管を接続する。このとき、加熱器の吸入用配管と吐出用配管を両接続管４４、４５の何れの側に接続してもよい。
【００２９】
図３は、内側通路４２の接続管４４に加熱器の吸入用配管を接続し、外側通路４３の接続管４５に加熱器の吐出用配管を接続した場合の温湯の流れを示している。
【００３０】
加熱器を点火することで、吐出用配管から接続管４５を介して外側通路４３に流入した温湯は、第２の温湯通路５２に流入し、この第２の温湯通路５２に位置する第２の吸入用開口４８の逆止弁５７は水圧で閉弁し、第２の吐出用開口５０の逆止弁５８は水圧で開弁することになり、従って、第２の温湯通路５２の温湯は、逆止弁５８を通り、連通路５９で両吐出用開口４９、５０の両方に振り分けられて左右の下部両側から浴槽１内に吐出する。
【００３１】
また、吸入用配管に作用する吸引力で内側通路４２から第１の温湯通路５１内が吸引され、第１の温湯通路５１に位置する第１の吸入用開口４７の逆止弁５５は開弁し、第１の吐出用開口４９の逆止弁５６は閉弁することで、浴槽内の温湯は、第１の吸入用開口４７から第１の温湯通路５１内に流入し、内側通路４２から接続管４４を介して加熱器の吸入用配管に流出し、これにより、浴槽１内の温湯は循環して温度が上昇することになる。
【００３２】
図４は、外側通路４３の接続管４５に加熱器の吸入用配管を接続し、内側通路４２の接続管４４に加熱器の吐出用配管を接続した場合の温湯の流れを示している。
【００３３】
加熱器を点火することで、吐出用配管から接続管４４を介して内側通路４２に流入した温湯は、第１の温湯通路５１に流入し、この第１の温湯通路５１に位置する第１の吸入用開口４７の逆止弁５５は水圧で閉弁し、第１の吐出用開口４９の逆止弁５６は水圧で開弁することになり、従って、第１の温湯通路５１の温湯は、逆止弁５６を通り、連通路５９で両吐出用開口４９、５０の両方に振り分けられて左右の下部両側から浴槽内に吐出する。
【００３４】
また、吸入用配管に作用する吸引力で外側通路４３から第２の温湯通路５２内が吸引され、第２の温湯通路５２に位置する第２の吸入用開口４８の逆止弁５７は開弁し、第２の吐出用開口５０の逆止弁５８は閉弁することで、浴槽１内の温湯は、第２の吸入用開口４８から第２の温湯通路５２内に流入し、外側通路４３から接続管４５を介して加熱器の吸入用配管に流出し、浴槽１内の温湯は循環して温度が上昇することになる。
【００３５】
上記のように、外部ケース３４の接続管４４、４５と、浴槽１の外部に設置された加熱器の吸入用配管と吐出用配管を接続するにおいて、両接続管４４、４５に対して吸入用配管と吐出用配管の何れを接続してもよく、接続の無極性が得られると共に、何れの接続においても、浴槽内への温湯の吐出は、左右の下部両側の両吐出用開口４９、５０に振り分けられ、浴槽１の温湯の沸き上がり温度にバラツキが出ないだけでなく、入浴中の追い焚き時に火傷のおそれもない。
【００３６】
【発明の効果】
以上のように、この発明によると、上記のような構成としたので、浴槽の外部に設置された加熱器の吸入用配管と吐出用配管の接続において、接続時の無極性が得られると共に、浴槽への温湯の吐出が左右両側下部の開口から行え、浴槽の温湯の沸き上がり温度にバラツキが出ないと共に、吐出する温湯の両側開口への振り分けにより、温湯の温度が緩和されるので、入浴中の追い焚き時に火傷のおそれがないという効果がある。
【００３７】
また、浴槽の温湯をフイルターキャップを介して前面側から吸込むことがきるので、ゴミが詰まりにくいという利点がある。
【図面の簡単な説明】
【図１】この発明の無極性浴槽用循環金具を示す縦断側面図
【図２】この発明の無極性浴槽用循環金具の外形を示す斜視図
【図３】（Ａ）は無極性浴槽用循環金具の循環口本体の通路構造を示す縦断側面図、（Ｂ）は内側通路の接続管に加熱器の吸入用配管を接続し、外側通路の接続管に加熱器の吐出用配管を接続した場合の温湯の流れを示す無極性浴槽用循環金具の回路図
【図４】（Ａ）は無極性浴槽用循環金具の循環口本体の通路構造を示す縦断側面図、（Ｂ）は外側通路の接続管に加熱器の吸入用配管を接続し、内側通路の接続管に加熱器の吐出用配管を接続した場合の温湯の流れを示す無極性浴槽用循環金具の回路図
【図５】（Ａ）は従来の無極性浴槽用循環金具の循環口本体の通路構造を模式的に示す縦断正面図、（Ｂ）は同縦断側面図
【図６】（Ａ）は従来の更に他の例の無極性浴槽用循環金具における循環口本体の通路構造を示す縦断側面図、（Ｂ）は加熱器の吸入用配管を内側通路に接続し、加熱器の吐出用配管を外側通路に接続した場合の温湯の流れを示す回路図
【図７】（Ａ）は従来の更に他の例の無極性浴槽用循環金具における循環口本体の通路構造を示す縦断側面図、（Ｂ）は加熱器の吸入用配管を外側通路に接続し、加熱器の吐出用配管を内側通路に接続した場合の温湯の流れを示す回路図
【符号の説明】
３１  無極性浴槽用循環金具
３２  スリーブ
３３  循環口本体
３４  外部ケース
３５  円筒部
３６  フランジ
３７  パッキング
３８  フランジ
３９  パッキング
４０  仕切り壁
４１  接続筒
４２  内側通路
４３  外側通路
４４  接続管
４５  接続管
４６  フイルターキャップ
４７  第１の吸入用開口
４８  第２の吸入用開口
４９  第１の吐出用開口
５０  第２の吐出用開口
５１  第１の温湯通路
５２  第２の温湯通路
５３  開口
５４  フイルター
５５  逆止弁
５６  逆止弁
５７  逆止弁
５８  逆止弁
５９  連通路
【図１】
0004689080.tif 000002
【図２】
0004689080.tif 000003
【図３】
0004689080.tif 000004
【図４】
0004689080.tif 000005
【図５】
0004689080.tif 000006
【図６】
0004689080.tif 000007
【図７】
0004689080.tif 000008